(57)【特許請求の範囲】
【請求項１】
支持部及び本体部を有するデータ伝送デバイスであって、
前記支持部と前記本体部とは可動接続され、
前記支持部は、ユーザーに固定可能或いは装着可能に構成され、
前記本体部は、Bluetooth（登録商標）通信モジュール及びモニタリングモジュールを有し、
前記モニタリングモジュールは、運動モニタリング、睡眠品質モニタリング、環境モニタリング及び身体的兆候モニタリングのうち少なくとも１つに用いられ、モニタリング結果を取得し、
前記Bluetooth通信モジュールは、端末デバイスとBluetooth通信接続を確立する、
前記Bluetooth通信モジュールはデュアルチャネル通信モジュールであり、Bluetooth３．０モジュール及びBluetooth４．０モジュールを有し、
前記端末デバイスが音声伝送を実行する場合、前記本体部は前記Bluetooth３．０モジュールにより前記端末デバイスとBluetooth通信接続を確立し、
前記端末デバイスが音声伝送を実行しない場合、前記本体部は前記Bluetooth４．０モジュールにより前記端末デバイスとBluetooth通信接続を確立する、
データ伝送デバイス。
【請求項２】
前記Bluetooth４．０モジュールはBluetooth低消費電力（Bluetooth  Low  Energy：ＢＬＥ）モジュールを有し、
前記端末デバイスが音声伝送を実行しない場合、前記本体部は前記ＢＬＥモジュールにより前記端末デバイスとBluetooth通信接続を確立する、
請求項１に記載のデータ伝送デバイス。
【請求項３】
前記支持部は腕輪である、
請求項１または２に記載のデータ伝送デバイス。
【請求項４】
前記支持部には電池が設けられ、当該電池は前記本体部への電力供給に用いられる、
請求項１乃至３のいずれか一項に記載のデータ伝送デバイス。
【請求項５】
前記支持部の一端はユニバーサル・シリアル・バス（ＵＳＢ）インターフェースであり、当該ＵＳＢインターフェースは前記電池の充電に用いられる、
請求項４に記載のデータ伝送デバイス。
【請求項６】
前記支持部の一端はユニバーサル・シリアル・バス（ＵＳＢ）インターフェースであり、当該ＵＳＢインターフェースは前記本体部の充電に用いられる、
請求項１乃至５のいずれか一項に記載のデータ伝送デバイス。
【請求項７】
前記ＵＳＢインターフェースは更に、前記Bluetooth通信モジュールが前記端末デバイスと確立するBluetooth通信接続の通信データの送信に用いられる、
請求項５又は６に記載のデータ伝送デバイス。
【請求項８】
前記データ伝送デバイスは更に表示モジュールを有し、
当該表示モジュールは、前記Bluetooth通信モジュールが前記端末デバイスと確立するBluetooth通信接続の通信データを表示する、
請求項１乃至７のいずれか一項に記載のデータ伝送デバイス。
【請求項９】
前記表示モジュールは更に時間を表示する、
請求項８に記載のデータ伝送デバイス。
【請求項１０】
前記データ伝送デバイスは更に音声通知モジュールを有し、
当該音声通知モジュールは、前記Bluetooth通信モジュールが前記端末デバイスと確立するBluetooth通信接続の通信データを音声で通知する、
請求項１乃至９のいずれか一項に記載のデータ伝送デバイス。
【請求項１１】
前記支持部は、前記本体部をクランプするクランプ形状のばね装置を有する、
請求項８乃至１０のいずれか一項に記載のデータ伝送デバイス。
【請求項１２】
データ伝送デバイス及び端末デバイスを含むデータ伝送システムであって、
前記データ伝送デバイスは支持部及び本体部を有し、当該支持部と当該本体部とは可動接続され、当該支持部はユーザーに固定可能或いは装着可能に構成され、当該本体部はBluetooth通信モジュール及びモニタリングモジュールを有し、当該モニタリングモジュールは運動モニタリング、睡眠品質モニタリング、環境モニタリング及び身体的兆候モニタリングのうち少なくとも１つに用いられモニタリング結果を取得し、当該Bluetooth通信モジュールは前記端末デバイスとBluetooth通信接続を確立し、
前記端末デバイスは、前記データ伝送デバイスとBluetooth通信接続を確立する、
前記Bluetooth通信モジュールはデュアルチャネル通信モジュールであり、Bluetooth３．０モジュール及びBluetooth４．０モジュールを有し、
前記端末デバイスが音声伝送を実行する場合、前記本体部は前記Bluetooth３．０モジュールにより前記端末デバイスとBluetooth通信接続を確立し、
前記端末デバイスが音声伝送を実行しない場合、前記本体部は前記Bluetooth４．０モジュールにより前記端末デバイスとBluetooth通信接続を確立する、
データ伝送システム。
【請求項１３】
前記端末デバイスは、前記Bluetooth通信モジュールと前記端末デバイスとが確立するBluetooth通信接続の通信データを表示する、
請求項１２に記載のデータ伝送システム。
【請求項１４】
前記通信データは、通話情報、着信通知情報、ショートメッセージ及び前記モニタリング結果のうち少なくとも１つを含む、
請求項１３に記載のデータ伝送システム。
【発明の詳細な説明】
【技術分野】
【０００１】
本発明は通信分野に関し、特にデータ伝送デバイス及びデータ伝送システムに関する。
【背景技術】
【０００２】
端末デバイスの普及に伴い、Bluetooth（登録商標）装置はその便利で安全な信号伝送方式のおかげで、ますます多くの電子製品に応用されている。Bluetoothヘッドセットは、短距離無線通信技術を採用する最先端技術のヘッドセット製品であり、ヘッドセットと受話器の無線化を実現することができる。携帯電話にBluetooth技術が備えられていれば、Bluetoothヘッドセットを用いて通話を行うことができる。携帯電話を手で持つことが不都合である場合は、Bluetoothヘッドセットを使用して電話応対することができる。よって、例えば運転中に携帯電話を手で持って電話応対することにより発生し得る事故の発生を防ぐことができる。
【０００３】
現在、Bluetoothヘッドセットは携帯電話から独立した外部部品であり、携帯には不便である。ユーザーは、Bluetoothヘッドセットを使用しないときにはBluetoothヘッドセットを片付ける必要がある。急にBluetoothヘッドセットを使用する必要が生じたときには鞄の中を探さなければならないが、Bluetoothヘッドセットのサイズが小さいために見つからない場合がある。また、Bluetoothヘッドセットのサイズが小さいために紛失しやすいことがある。更に、Bluetoothヘッドセットの機能は単一であり、電話応対に限られている。
【０００４】
従来技術では、Bluetoothヘッドセットが紛失され易いという問題を解決するために、Bluetoothモジュールを腕時計に組み込んでいる。しかしながら、ハンズフリー通話機能を実現できるに過ぎない。通話中のノイズ干渉が比較的大きいうえに、通話者のプライバシーを保護することができない。また、ユーザーは通話中に口付近まで腕を上げる必要があり、疲労しやすい。腕を上げることが不都合である場合には、通話品質は通話不可能になるほど悪く、ユーザーエクスペリエンスが非常に悪い。
【発明の概要】
【発明が解決しようとする課題】
【０００５】
本発明の実施例は、多機能で通話体験が良好であり携帯に便利なデータ伝送デバイス及びシステムを提供する。
【課題を解決するための手段】
【０００６】
本発明第１の態様は、データ伝送デバイスを提供する。データ伝送デバイスは、支持部及び本体部を有する。支持部と本体部とは可動接続され、支持部はユーザーに固定可能或いは装着可能に構成される。本体部はBluetooth通信モジュール及びモニタリングモジュールを有する。モニタリングモジュールは、運動モニタリング、睡眠品質モニタリング、環境モニタリング及び身体的兆候モニタリングのうち少なくとも１つに用いられ、モニタリング結果を取得する。Bluetooth通信モジュールは、端末デバイスとBluetooth通信接続を確立する。
【０００７】
第１の可能な実施方式において、Bluetooth通信モジュールはデュアルチャネル通信モジュールであり、Bluetooth３．０モジュール及びBluetooth４．０モジュールを有する。端末デバイスが音声伝送を実行する場合、本体部はBluetooth３．０モジュールにより端末デバイスとBluetooth通信接続を確立する。端末デバイスが音声伝送を実行しない場合、本体部はBluetooth４．０モジュールにより端末デバイスとBluetooth通信接続を確立する。
【０００８】
第１の可能な実施方式に基づき、第２の可能な実施方式において、Bluetooth４．０モジュールはBluetooth低消費電力（Bluetooth  Low  Energy：ＢＬＥ）モジュールを有する。端末デバイスが音声伝送を実行しない場合、本体部はＢＬＥモジュールにより端末デバイスとBluetooth通信接続を確立する。
【０００９】
第１の態様に基づき、第１の可能な実施方式又は第２の可能な実施方式において、第３の可能な実施方式では、支持部は腕輪である。
【００１０】
第１の態様に基づき、第１、第２又は第３の可能な実施方式において、第４の可能な実施方式では、支持部に電池が設けられ、電池は本体部に電力を供給する。
【００１１】
第４の可能な実施方式に基づき、第５の可能な実施方式において、支持部の一端はユニバーサル・シリアル・バス（ＵＳＢ）インターフェースであり、ＵＳＢインターフェースは電池の充電に用いられる。
【００１２】
第１の態様に基づき、第１〜第５の可能な実施方式のいずれか１つにおいて、第６の可能な実施方式では、支持部の一端はユニバーサル・シリアル・バス（ＵＳＢ）インターフェースであり、ＵＳＢインターフェースは本体部の充電に用いられる。
【００１３】
第５の可能な実施方式又は第６の可能な実施方式に基づき、第７の可能な実施方式において、ＵＳＢインターフェースは更に、Bluetooth通信モジュールが端末デバイスと確立するBluetooth通信接続の通信データの送信に用いられる。
【００１４】
第１の態様に基づき、第１〜第７の可能な実施方式のいずれか１つにおいて、第８の可能な実施方式では、データ伝送デバイスは更に表示モジュールを有する。表示モジュールは、Bluetooth通信モジュールが端末デバイスと確立するBluetooth通信接続の通信データを表示する。
【００１５】
第８の可能な実施方式に基づき、第９の可能な実施方式において、表示モジュールは更に時間を表示する。
【００１６】
第１の態様に基づき、第１〜第９の可能な実施方式のいずれか１つにおいて、第１０の可能な実施方式では、データ伝送デバイスは更に音声通知モジュールを有する。音声通知モジュールは、Bluetooth通信モジュールが端末デバイスと確立するBluetooth通信接続の通信データを音声で通知する。
【００１７】
第７、第８、第９又は第１０の可能な実施方式に基づき、第１１の可能な実施方式において、通信データは、通話情報、着信通知情報、ショートメッセージ及びモニタリング結果のうち少なくとも１つを含む。
【００１８】
第１の態様に基づき、第１〜第１１の可能な実施方式のいずれか１つにおいて、第１２の可能な実施方式では、支持部は空洞部を有する。空洞部の一端には、可動留め具と、圧縮ばねと、可動留め具を押すためのボタンが設けられる。本体部の一端と空洞部の一端は、可動接続される。本体部の他端は可動留め具により固定され、ボタンが押されると可動留め具が引っ込み、本体部が圧縮ばねの弾性力を受けてイジェクトされる。
【００１９】
第１の態様に基づき、第１〜第１１の可能な実施方式のいずれか１つにおいて、第１３の可能な実施方式では、支持部は、本体部をクランプするクランプ形状のばね装置を有する。
【００２０】
本発明の第２の態様は、データ伝送システムを提供する。データ伝送システムは、データ伝送デバイス及び端末デバイスを含む。
データ伝送デバイスは、支持部及び本体部を有する。支持部と本体部とは可動接続され、支持部はユーザーに固定可能或いは装着可能に構成される。本体部はBluetooth通信モジュール及びモニタリングモジュールを有する。モニタリングモジュールは、運動モニタリング、睡眠品質モニタリング、環境モニタリング及び身体的兆候モニタリングのうち少なくとも１つに用いられ、モニタリング結果を取得する。Bluetooth通信モジュールは、端末デバイスとBluetooth通信接続を確立する。端末デバイスは、データ伝送デバイスとBluetooth通信接続を確立する。
【００２１】
第１の可能な実施方式において、端末デバイスは、Bluetooth通信モジュールと端末デバイスとが確立するBluetooth通信接続の通信データを表示する。
【００２２】
第１の可能な実施方式に基づき、第２の可能な実施方式において、通信データは、通話情報、着信通知情報、ショートメッセージ及びモニタリング結果のうち少なくとも１つを含む。
【００２３】
本発明の第３の態様は、データ伝送方法を提供する。データ伝送方法は、
端末デバイスとBluetooth通信接続を確立するステップと、
端末デバイスの動作状態を取得するステップと、
端末デバイスの動作状態に基づいて、端末デバイスと確立するBluetooth通信接続のモードを決定するステップと、
を含む。
【００２４】
第１の可能な実施方式において、Bluetooth通信接続のモードには、Bluetooth３．０モード及びBluetooth４．０モードが含まれる。
【００２５】
第１の可能な実施方式に基づき、第２の可能な実施方式において、端末デバイスとBluetooth通信接続を確立するステップは、Bluetooth３．０モードにより端末デバイスとBluetooth通信接続を確立するステップを含む。
【００２６】
第１の可能な実施方式に基づき、第３の可能な実施方式において、端末デバイスの動作状態に基づいて端末デバイスと確立するBluetooth通信接続のモードを決定するステップは、端末デバイスが音声伝送を実行しない場合、Bluetooth４．０モードにより端末デバイスとBluetooth通信接続を確立するステップと、端末デバイスが音声伝送を実行する場合、Bluetooth３．０モードにより端末デバイスとBluetooth通信接続を確立するステップと、を含む。
【００２７】
第３の可能な実施方式に基づき、第４の可能な実施方式において、Bluetooth４．０モードはBluetooth低消費電力（Bluetooth  Low  Energy：ＢＬＥ）モードを含む。
【００２８】
第３の可能な実施方式又は第４の可能な実施方式に基づき、第５の可能な実施方式において、端末デバイスが音声伝送を実行しない場合、Bluetooth３．０モードはオフにされる。
【００２９】
以上の技術的構成から明らかなように、本発明の実施例には以下の利点がある。
【００３０】
本発明の実施例では、本体部と支持部とが可動接続される。支持部は、ユーザーに固定可能或いは装着可能に構成される。本体部は、運動モニタリング、睡眠品質モニタリング、環境モニタリング及び身体的兆候モニタリングのうち少なくとも１つに用いられるモニタリングモジュールを有し、モニタリングモジュールはモニタリング結果を取得してよい。本体部はまた、端末デバイスとBluetooth通信接続を確立するBluetooth通信モジュールを有する。ユーザーが本体部を用いて端末デバイスとBluetooth通信接続を確立する必要がある場合、本体部を取り外し耳に入れて通話を行うことができる。本体部を使用する必要がない場合には、本体部を支持部に配置し、ユーザーに固定或いは装着することができる。このように、通話品質が保証されると共に、ユーザーが携帯しやすくなる。本体部は、端末デバイスとBluetooth通信接続を確立できるだけでなく複数のモニタリング機能を有する、多機能のデータ伝送デバイスである。
【図面の簡単な説明】
【００３１】
本発明の実施例の技術的構成をより明らかにするために、以下、実施例の説明に使用する必要のある図面を簡単に説明する。当然ながら、以下に説明する図面は本発明の実施例に過ぎず、当該技術分野の当業者であれば、創造的な作業を行うことなく、これらの図面に基づいて他の図面を得ることができるであろう。
【図１】本発明の実施例に係るデータ伝送デバイスの概略図である。
【図２】本発明の実施例に係る本体部の構成図である。
【図３】本発明の実施例に係るデータ伝送デバイスの接続を示す概略図である。
【図４】本発明の別の実施例に係るデータ伝送デバイスの接続を示す概略図である。
【図５】本発明の別の実施例に係るデータ伝送デバイスの接続を示す概略図である。
【図６】本発明の実施例に係るデータ伝送システムの構成図である。
【図７】本発明の実施例に係るデータ伝送方法を示すフローチャートである。
【発明を実施するための形態】
【００３２】
以下、本発明の実施例の添付の図面と併せて、本発明の実施例の技術的構成を明瞭且つ完全に説明する。当然ながら、説明される実施例は本発明の一部分の実施例に過ぎず、全ての実施例ではない。本発明の実施例に基づいて、当該技術分野の当業者が創造的な作業を行うことなく得たその他の実施例は、全て本発明の保護範囲に包含される。
【００３３】
本発明は、多機能で通話体験が良好であり携帯に便利なデータ伝送デバイスを提供し、また、データ伝送システムを提供する。以下、具体的には図１〜図７を参照して詳細に説明する。
【００３４】
実施例１
本発明の実施例は、多機能で通話体験が良好であり携帯に便利なデータ伝送デバイスを提供する。図１は、本発明の実施例に係るデータ伝送デバイスの概略図である。図２は、本発明の実施例に係るデータ伝送デバイスの本体部の構成図である。図１及び図２に示すように、データ伝送デバイスは、具体的には支持部１０及び本体部２０を有してよい。
本体部２０と支持部１０とは可動接続され、支持部１０はユーザーに固定可能或いは装着可能に構成される。本体部２０は、Bluetooth通信モジュール２１及びモニタリングモジュール２２を有する。モニタリングモジュール２２は、運動モニタリング、睡眠品質モニタリング、環境モニタリング及び身体的兆候モニタリングのうち少なくとも１つに用いられ、モニタリング結果を取得する。Bluetooth通信モジュール２１は、端末デバイスとBluetooth通信接続を確立する。
【００３５】
本実施例のデータ伝送デバイスの本体部は、端末デバイスとBluetooth通信接続を確立できるだけでなく複数のモニタリング機能を有する、多機能データ伝送デバイスであってよい。ここで、端末デバイスは、具体的には携帯電話やタブレットコンピューター等の端末デバイスであってよい。
【００３６】
図２を参照する。図２は、本発明の実施例に係る本体部の構成図である。本実施例の本体部２０は、Bluetooth通信モジュール２１及びモニタリングモジュール２２を有する。具体的には、本体部２０のBluetoothチップにモニタリングセンサーを組み込むことにより、モニタリングモジュール２２が運動モニタリング、睡眠品質モニタリング、環境モニタリング、身体的兆候モニタリング等のモニタリングに用いられてよい。具体例として、
運動モニタリングは、歩数計、カロリー計算、距離計算等のモニタリングであり、
睡眠品質モニタリングは、睡眠品質のモニタリングであり、
環境モニタリングは、ＧＰＳ軌跡、海抜、大気圧、方向、温湿度、紫外線等のモニタリングであり、
身体的兆候モニタリングは、心拍数、体温、心電図等のモニタリングである。
【００３７】
本発明の実施例に係るデータ伝送デバイスは、Bluetooth機能を有するだけでなく、上述のモニタリング機能も有する。ユーザーにとって、データ伝送デバイスを有することは、同時にBluetoothヘッドセット、スポーツブレスレット、コンパス、体温計、歩数計等を有することに等しく、ユーザーエクスペリエンスが大幅に向上する。例えばユーザーがランニングをする場合、データ伝送デバイスを用いて距離計算と軌跡記録を行えるだけでなく、ランニング中にデータ伝送デバイスの本体部を耳に入れて通話することができ、電話応対に便利である。例えばユーザーが旅行する場合、データ伝送デバイスを用いて大気圧や海抜高度をモニタリングすることができ、また、データ伝送デバイスをコンパスとして用いることができる。よって、旅行が大いに便利で楽しいものになり、ユーザーエクスペリエンスが向上する。
【００３８】
Bluetooth通信モジュール２１は、端末デバイスとBluetooth通信接続を確立してよく、具体的には、通話接続やショートメッセージ接続等を確立してよい。例えば、携帯電話が呼出しを受ける場合、Bluetooth通信モジュール２１は呼出情報を受信してよい。ユーザーは、携帯電話の代わりに本体部２０を直接用いて、着信に応答することができる。
【００３９】
データ伝送デバイスは更に、表示モジュールを有してよい。表示モジュールは、Bluetooth通信モジュールが端末デバイスと確立するBluetooth通信接続の通信データを表示してよい。これにより、ユーザーは、データ伝送デバイス上で通信データをリアルタイムで直接問い合わせることができる。任意に、本体部には発光ダイオード（Light  Emitting  Diode：ＬＥＤ）表示画面が設けられてよい。Bluetooth通信モジュールが端末デバイスと確立するBluetooth通信接続の通信データは、ユーザーが確認できるように、リアルタイムでＬＥＤ表示画面に表示されてよい。
【００４０】
表示モジュールは、データ伝送デバイスの支持部に組み込まれてもよいし、データ伝送デバイスの本体部に組み込まれてもよい。
【００４１】
任意に、表示モジュールは更に時間を表示してよく、腕時計として使用されてよい。
【００４２】
データ伝送デバイスは更に、音声通知モジュールを有してよい。音声通知モジュールは、Bluetooth通信モジュールが端末デバイスと確立するBluetooth通信接続の通信データを音声で通知してよく、Bluetooth通信モジュールが端末デバイスとBluetooth通信接続を確立する場合、通信データを再生してよい。ユーザーは、音声通知モジュールにより、通信データをリアルタイムで音声で取得することができる。
【００４３】
音声通知モジュールは、データ伝送デバイスの支持部に組み込まれてもよいし、データ伝送デバイスの本体部に組み込まれてもよい。
【００４４】
ここで、上述のBluetooth通信モジュールが端末デバイスと確立するBluetooth通信接続の通信データは、具体的には、通話情報、着信通知情報、ショートメッセージ及びモニタリングモジュール２２により取得されるモニタリング結果のうち少なくとも１つを含んでよい。
【００４５】
なお、データ伝送デバイスは、Bluetooth通信モジュール２１が端末デバイスとBluetooth通信接続を確立する場合、モニタリングモジュール２２により取得されるモニタリング結果を端末デバイスへ送信してよい。端末デバイスは、受信されたモニタリング結果に基づいてBluetooth通信モジュール２１へ制御命令を送信することにより、モニタリングタスクを切り替えてよい。このように、Bluetooth通信モジュール２１が端末デバイスと確立するBluetooth通信接続の通信データは、モニタリングモジュール２２により取得されるモニタリング結果を含んでよい。
【００４６】
データ伝送デバイスは更に、振動モーターを有してよい。Bluetooth通信モジュールが端末デバイスとBluetooth通信接続を確立する際、データ伝送デバイスは振動によりユーザーへの通知を行ってよい。例えば、携帯電話に着信があると、データ伝送デバイスが振動してユーザーに通知し、ユーザーは本体部を用いて電話に出る。
【００４７】
本発明の別の実施例では、Bluetooth通信モジュール２１はデュアルチャネル通信モジュールであり、具体的にはBluetooth３．０モジュール及びBluetooth４．０モジュールを有してよい。端末デバイスが音声伝送を実行する場合、本体部は、Bluetooth３．０モジュールにより端末デバイスとBluetooth通信接続を確立する。端末デバイスが音声伝送を実行しない場合、本体部は、Bluetooth４．０モジュールにより端末デバイスとBluetooth通信接続を確立する。ここで、端末デバイスが音声伝送を実行しない場合、Bluetooth３．０モジュールはオフにされ、効果的に消費電力を低減することができる。
【００４８】
本発明の別の実施例では、Bluetooth４．０モジュールはBluetooth低消費電力（Bluetooth  Low  Energy：ＢＬＥ）モジュールを有する。端末デバイスが音声伝送を実行しない場合、本体部はBluetooth４．０モジュールのＢＬＥモジュールにより、端末デバイスとBluetooth通信接続を確立する。
【００４９】
ＢＬＥモジュールは、低コストで相互操作可能でありロバストな短距離無線技術であり、免許不要の２．４ＧＨｚのＩＳＭ（Industrial  Scientific  Medical）無線周波数帯域で動作する。ＢＬＥモジュールにより、待機電力の低減、高速接続の実現及びピーク電力の低減が可能となる。具体的には、待機電力の低減、高速接続の実現及びピーク電力の低減の３つの側面が可能となる。
【００５０】
待機電力の低減：Bluetooth３．０モジュールは、１６〜３２個のチャネルを用いてブロードキャストを実行するが、ＢＬＥモジュールでは３個のブロードキャストチャネルしか用いない。また、Bluetooth３．０モジュールの無線周波数のターンオン時間が２２．５ミリ秒であるのに対して、ＢＬＥモジュールが毎回ブロードキャストを実行する際の無線周波数のターンオン時間は０．６〜１．２ミリ秒であり、ＢＬＥモジュールによりターンオン時間が低減される。また、ＢＬＥモジュールがデータを送信する間隔はBluetooth３．０モジュールの場合より長く、０.５〜４秒に増大する。したがって、ＢＬＥモジュールの無線周波数電力消費はごく僅かであり、効果的に電力消費が低減される。
【００５１】
高速接続の実現：ＢＬＥモジュールでは、ブロードキャストを実行中のデバイスがスキャン中のデバイスと接続することができ、スキャンの繰り返しが効果的に防止される。ＢＬＥモジュールを備えるデバイスの接続確立プロセスは、３ミリ秒以内に完了するように制御可能である。また、アプリケーションプログラムにより素早くリンカーを起動し、数ミリ秒の伝送速度でデータ送信を完了した後、すぐに接続を閉じることができる。一方、Bluetooth３．０モジュールでは、リンク層のリンクを確立するだけでも少なくとも１００ミリ秒かかり、Ｌ２ＣＡＰ（Logical  Link  Control  and  Adaptation  Protocol）層の接続を確立する時間は更に長い。
【００５２】
ピーク電力の低減：ＢＬＥモジュールでは、データパケットの長さがより厳しく定義され、非常に短い（８〜２７バイト）データパケットがサポートされる。また、ランダム無線周波数パラメーターが使用され、ガウス型周波数偏移変調（Gauss  Frequency  Shift  Keying：ＧＳＦＫ）変調指数が大きい。このように、データ送受信の複雑性を最小限に抑えている。更に、変調指数を大きくし２４ビットの巡回冗長検査（Cyclic  Redundancy  Check：ＣＲＣ）コードを採用することにより、干渉を受けた際の危険性がより高い安定性を有することが保証される。よって、ＢＬＥモジュールの範囲は１００ｍまで拡大する。以上の技術をBluetooth３．０モジュールの周波数ホッピングスペクトラム拡散の原理と併せて用いることにより、効果的にピーク電力が低減される。
【００５３】
図１は、本発明の実施例に係るデータ伝送デバイスの概略図である。図１に示すように、本体部の充電をより簡便にするために、支持部１０の一端はユニバーサル・シリアル・バス（ＵＳＢ）インターフェース１０２として構成されてよい。ＵＳＢインターフェース１０２をコンピューター等の端末又はＵＳＢアクセサリーに接続すると、ＵＳＢインターフェース１０２を介して本体部２０を充電することができる。このように、ユーザーは本体を充電するために余計な充電機器を携帯する必要が無い。
【００５４】
データ伝送デバイスは更に、ＵＳＢインターフェース１０２を介してコンピューター等の端末とデータ同期を行ってよい。例えば、ＵＳＢインターフェース１０２を介して、Bluetooth通信モジュール２１が携帯電話と確立するBluetooth通信接続の通信データ（通話情報、着信通知情報、ショートメッセージ、モニタリングモジュール２２により取得されるモニタリング結果等）をコンピューターへ送信してよい。また、ＵＳＢインターフェースを用いて、携帯電話のソフトウェア等のデータをコンピューターへ送信し、コンピューターを介して携帯電話のソフトウェアアップグレード等の工程を実行してよい。すなわち、支持部１０はデータ線として機能してよい。
【００５５】
具体的には、本体部２０のうち支持部１０との接続部には、金属接点が設けられる。当該金属接点により、本体部とＵＳＢインターフェース１０２との電気的接続が実現されてよい。
【００５６】
支持部１０には更に、電池１０１が設けられてよい。電池１０１は、本体部２０への電力供給に用いられてよい。支持部１０のＵＳＢインターフェース１０２は更に、電池１０１の充電に用いられてよい。このように、電池１０１はモバイル電源機能を有する。ユーザーが外出中に本体部を充電できない場合には、電池１０１を用いて本体部２０を充電することができ、ユーザーエクスペリエンスが向上する。
【００５７】
任意に，本実施例の支持部１０は、腕輪形状、時計バンド形状等であってよく、特に限定されない。データ伝送デバイスがユーザーの手に装着されると、使用と携帯に便利であり、紛失しづらい。また、データ伝送デバイスがユーザーの手に装着される場合には装飾機能もあり、ユーザーエクスペリエンスが向上する。
【００５８】
図１を参照する。図１は、本実施例に係るデータ伝送デバイスの概略図である。支持部１０は本体部２０を支持してよく、支持部１０と本体部２０とは可動接続される。支持部１０には、本体部２０に電力を供給する電池１０１が設けられる。支持部１０の一端は、ＵＳＢインターフェース１０２として構成される。ここで、ＵＳＢインターフェース１０２を介して本体部２０を充電することができる。また、携帯電話或いはデータ伝送デバイスは、ＵＳＢインターフェース１０２を介して通信データをコンピューターへアップロードすることができ、或いは、ＵＳＢインターフェース１０２を介して携帯電話のソフトウェアアップグレード等の制御を実行することができる。
【００５９】
本実施例に係るデータ伝送デバイスの支持部１０と本体部２０とは可動接続され、本体部２０は支持部１０に挿入可能である。例えば、支持部１０と本体部２０とは留め具により接続されてもよいし、磁気的な方式で可動接続されてもよい。本体部２０を用いて通話する必要がある場合には、本体部２０を取り外し耳に入れて通話することができる。本体部２０を使用する必要がない場合には、支持部１０に配置することより、通話品質が保証され、ユーザーが携帯しやすくなる。
【００６０】
支持部１０と本体部２０とは、留め具を用いた接続方式で可動接続される。具体的には、以下のように構成されてよい。
【００６１】
図３を参照する。図３は、本発明の実施例に係るデータ伝送デバイスの接続を示す概略図である。支持部１０は空洞部１１を有し、本体部２０は支持部１０の空洞部１１内に位置する。
【００６２】
空洞部１１の一端には、可動留め具１２と、圧縮ばね１３と、可動留め具１２を押すためのボタン１４とが設けられる。本体部２０の一端と空洞部１１の一端は、可動接続される。本体部２０の他端は可動留め具１２により固定され、ボタン１４が押されると可動留め具１２が引っ込み、本体部２０が圧縮ばね１３の弾性力を受けてイジェクトされる。よって、ユーザーは本体部を取り出し耳に入れて通話を行うことができる。
【００６３】
任意に、可動留め具１２は、伸縮ばね１５を介して支持部１０と接続されてよい。ボタン１４が押されると、可動留め具１２が引っ込み、本体部２０のうち可動留め具１２と接続される一端が圧縮ばね１３の弾性力によりイジェクトされる。このように、ユーザーは簡単に本体部２０を取り出し通話を行うことができる。通話の終了後、本体部２０を図３に示される方向に配置された場合のデータ伝送デバイスの左側から押し込んで空洞部の一端により支持されるようにし、本体部２０のうち可動留め具１２と接続される一端を押すことによって、本体部２０と可動留め具１２が固定され、本体部２０は支持部１０の空洞部１１内に配置される。
【００６４】
図４又は図５を参照する。図４は、本発明の別の実施例に係るデータ伝送デバイスの正面図である。図５は、本発明の別の実施例に係るデータ伝送デバイスの左側図である。支持部１０は、クランプ形状のばね装置１６を有する。ばね装置１６は、本体部２０をクランプしてよい。
【００６５】
本発明の別の実施例では、支持部１０に圧縮ばね１３が設けられてよい。圧縮バネ１３は、ばね装置１６が押圧されたときに本体部２０をイジェクトする。
【００６６】
ばね装置１６の具体的な形状に関しては、図４又は図５を参照することができる。クランプ形状のばね装置１６は、支持部１０に固定配置される。ばね装置１６は２つのクランプ片を有し、これら２つのクランプ片により本体部２０をクランプしてよい。本体部２０を使用する場合、ユーザーが指で２つのクランプ片を外方向に押すと（すなわち、図５の矢印で示される位置）、圧縮ばね１３が本体部２０をイジェクトし、ユーザーは本体部２０を取り出すことができる。使用後、本体部２０は、ばね装置１６の２つのクランプ片の間に押し込まれることにより（すなわち、図５の矢印で示される位置）、ばね装置１６に保持されクランプされる。
【００６７】
上記から分かるように、本発明の実施例のデータ伝送デバイスでは、本体部と支持部とが可動接続される。支持部は、ユーザーに固定可能或いは装着可能に構成される。本体部は、運動モニタリング、睡眠品質モニタリング、環境モニタリング及び身体的兆候モニタリングのうち少なくとも１つに用いられるモニタリングモジュールを有し、モニタリングモジュールはモニタリング結果を取得してよい。本体部はまた、端末デバイスとBluetooth通信接続を確立するBluetooth通信モジュールを有する。ユーザーが本体部を用いて端末デバイスとBluetooth通信接続を確立する必要がある場合、本体部を取り外し耳に入れて通話を行うことができる。本体部を使用する必要がない場合には、本体部を支持部に設置し、ユーザーに固定或いは装着することができる。このように、通話品質が保証されると共に、ユーザーが携帯しやすくなる。更に、本体部は、端末デバイスとBluetooth通信接続を確立できるだけでなく複数のモニタリング機能を有する、多機能のデータ伝送デバイスである。人体の身体的兆候及び外的環境をモニタリングすることにより、個人向けのカスタマイズされたサービスがユーザーに提供され、よって、ユーザーエクスペリエンスが向上する。
【００６８】
実施例２
上述の構成をよりよく理解するために、本実施例はデータ伝送システムを提供する。図６は、本発明の実施例に係るデータ伝送システムの構成図である。図６に関して、具体的には以下のように構成されてよい。
【００６９】
データ伝送システム３００は、データ伝送デバイス１００及び端末デバイス２００を含む。
【００７０】
データ伝送デバイス１００は、支持部１０及び本体部２０を有する。支持部１０と本体部２０とは可動接続される。支持部１０は、ユーザーに固定可能或いは装着可能に構成される。本体部２０は、Bluetooth通信モジュール２１及びモニタリングモジュール２２を有する。モニタリングモジュール２２は、運動モニタリング、睡眠品質モニタリング、環境モニタリング及び身体的兆候モニタリングのうち少なくとも１つに用いられ、モニタリング結果を取得する。Bluetooth通信モジュール２１は、端末デバイス２００とBluetooth通信接続を確立する。
【００７１】
端末デバイス２００は、データ伝送デバイス１００とBluetooth通信接続を確立する。
【００７２】
端末デバイス２００とBluetooth通信モジュール２１とが接続された後、Bluetooth通信モジュール２１は、モニタリングモジュール２２により取得されるモニタリング結果を端末デバイス２００へ送信してよい。このように、端末デバイス２００とデータ伝送デバイス１００とが確立するBluetooth通信接続の通信データは、具体的には、通話情報、着信通知情報、ショートメッセージ及びモニタリングモジュール２２により取得されるモニタリング結果のうち少なくとも１つを含んでよい。
【００７３】
任意に，端末デバイス２００は、Bluetooth通信モジュール２１と端末デバイス２００とが確立するBluetooth通信接続の上述した通信データを表示してよい。
【００７４】
なお、データ伝送デバイス１００の具体的な実施例については上述の実施例を参照することができるので、ここで再度説明することはしない。
【００７５】
本発明により提供されるデータ伝送システム３００では、データ伝送デバイス１００と端末デバイス２００とを組み合わせて用いることにより、ユーザーは、通話をするときにデータ伝送デバイス１００の本体部２０を取り外し耳に入れて通話を行うことができる。また、使用する必要がないときには本体部２０を支持部１０に配置し、ユーザーに固定或いは装着することができる。このように、通話品質が保証されると共に、ユーザーが携帯しやすくなり、ユーザーエクスペリエンスが向上する。更に、データ伝送システム３００は、複数のモニタリング機能を提供する多機能データ伝送システムである。人体の身体的兆候及び外的環境をモニタリングすることにより、個人向けのカスタマイズされたサービスがユーザーに提供され、よって、ユーザーエクスペリエンスが向上する。
【００７６】
実施例３
本実施例はまた、データ伝送方法を提供する。図７は、本発明の実施例に係るデータ伝送方法のフローチャートである。図７に関して、具体的には以下のステップが含まれてよい。
【００７７】
３０１：端末デバイスとBluetooth通信接続を確立する。
【００７８】
３０２：端末デバイスの動作状態を取得する。
【００７９】
３０３：端末デバイスの動作状態に基づいて、端末デバイスと確立するBluetooth通信接続のモードを決定する。
【００８０】
本発明の別の実施例では、本実施例におけるBluetooth通信接続のモードには、Bluetooth３．０モード及びBluetooth４．０モードが含まれる。
【００８１】
その場合、ステップ３０１において、端末デバイスとBluetooth通信接続を確立するステップは、具体的には、Bluetooth３．０モードにより端末デバイスとBluetooth通信接続を確立するステップを含む。
【００８２】
その場合、ステップ３０３において、端末デバイスの動作状態に基づいて端末デバイスと確立するBluetooth通信接続のモードを決定するステップは、具体的には以下のステップを含む。すなわち、端末デバイスが音声伝送を実行しない場合、Bluetooth４．０モードにより端末デバイスとBluetooth通信接続を確立するステップと、端末デバイスが音声伝送を実行する場合、Bluetooth３．０モードにより端末デバイスとBluetooth通信接続を確立するステップと、を含む。
【００８３】
なお、Bluetooth４．０モードにはBluetooth低消費電力（Bluetooth  Low  Energy：ＢＬＥ）モードが含まれる。ここで、端末デバイスが音声伝送を実行しない場合、Bluetooth４．０モードの低消費電力ＢＬＥモードにより端末デバイスとBluetooth通信接続を確立する。
【００８４】
なお、消費電力を更に低減するために、端末デバイスが音声伝送を実行しない場合はBluetooth３．０モードをオフにし、ＢＬＥモードのみによって端末デバイスと通信接続を実行する。
【００８５】
具体的には、端末デバイスが音声伝送を実行しない場合、本体部はＢＬＥモードにより端末デバイスとBluetooth通信接続を確立する。端末デバイスが音声伝送を実行する場合、Bluetooth３．０モードをオンにすることにより、本体部はBluetooth３．０モードにより端末デバイスとBluetooth通信接続を確立する。音声伝送が終了した後、Bluetooth３．０モードはオフにされ、ＢＬＥモードによる通信接続の確立が継続される。このように、効果的に消費電力を低減することができる。
【００８６】
上記から分かるように、本実施例が提供するデータ伝送方法では、まず端末デバイスとBluetooth通信接続を確立し、それから端末デバイスの動作状態を取得し、端末デバイスの動作状態に基づいて、端末デバイスと確立するBluetooth通信接続のモードを決定する。柔軟な方法でデータ伝送方法を切り替えることにより、データ伝送デバイス通信の消費電力を低減し、ユーザーにより良いユーザーエクスペリエンスを提供する。
【００８７】
以上、本発明の提供するデータ伝送デバイス及びデータ伝送システムを詳細に説明した。本明細書では、具体的な例を適用して本発明の原理及び実施方式を論じたが、以上の実施例の説明は本発明の方法とその主旨の理解を補助するものに過ぎない。また、当該技術分野の当業者であれば、本発明の実施例の主旨に基づいて、特定の実施方式及び適用範囲に関して変更を加え得る。したがって、本明細書の内容は本発明を限定するものとして解釈されるべきではない。
【図１】
0006050490.tif 000002
【図２】
0006050490.tif 000003
【図３】
0006050490.tif 000004
【図４】
0006050490.tif 000005
【図５】
0006050490.tif 000006
【図６】
0006050490.tif 000007
【図７】
0006050490.tif 000008